(57)【要約】【課題】本発明は、白スジ、画像ボケ等の異物付着による異常画像の発生を防ぐことができ、かつ感光体もしくは感光体を含むユニットの寿命を向上することができる画像形成装置を提供することを目的とする。【解決手段】本発明の画像形成装置は、表面にトナー像を担持する像担持体１と、転写器２によるトナー像の転写終了後に像担持体１上の転写残トナーを除去するために弾性を有するクリーニング部材３とを有し、更に像担持体１の外周面に付着した異物を取り除く板部材８と、板部材８を支持し、像担持体１に対して板部材を接離するように作動させる支持部材７とを有する。【選択図】　　　　図１
2004085859.tif 000002
【特許請求の範囲】
【請求項１】
表面にトナー像を担持する像担持体と、転写器による前記トナー像の転写終了後に前記像担持体上の転写残トナーを除去するために弾性を有するクリーニング部材とを有する画像形成装置において、
前記像担持体の外周面に付着した異物を取り除く板部材と、
該板部材を支持し、前記像担持体に対して前記板部材を接離するように作動させる支持部材と
を有することを特徴とする画像形成装置。
【請求項２】
前記板部材は、前記像担持体の移動方向に対して前記クリーニング部材よりも上流に配置する請求項１記載の画像形成装置。
【請求項３】
前記板部材は、先端部に鋭利な刃先を有し、該刃先が前記像担持体の外周面に接触するように支持部材を配置する請求項１又は２に記載の画像形成装置。
【請求項４】
前記板部材に発熱部材を備えている請求項１〜３のいずれかに記載の画像形成装置。
【請求項５】
前記像担持体の移動方向に対して前記板部材よりも上流側から前記板部材の表面に当接するように、前記板部材に付着した異物を除去するための除去部材を設ける請求項１〜４のいずれかに記載の画像形成装置。
【請求項６】
前記支持部材は任意時に作動する請求項１〜５のいずれかに記載の画像形成装置。
【発明の詳細な説明】
【０００１】
【発明の属する技術分野】
本発明は画像形成装置に関し、詳細にはトナー像を転写材に転写し、像担持体に付着した異物を除去する技術に関する。
【０００２】
【従来の技術】
現在、感光体への帯電時に発生する放電生成物による感光体表面上の付着物や記録紙に海外紙を用いた場合当該海外紙に多く含まれる添加剤の影響で、感光体表面に異物が付着し（この現象をフィルミングという）、白スジ、画像ボケ等の異常画像が発生し、感光体もしくは感光体を含むユニットの寿命を低下させている。
【０００３】
そこで、この現象を防止する方策としては、クリーニングブレードの感光体への当接条件の調整、転写紙搬送経路に紙紛除去部材を設けること、そしてトナーの母材や添加剤の処方変更等がある。
【０００４】
【発明が解決しようとする課題】
しかし、これらの方策では完全に上記現象を防止することができない。例えばクリーニングブレードの当接条件の変更では異物除去性能とクリーニングブレードの低温時のめくれ等の条件から両立が困難である。また、トナーの母材や添加剤の処方変更ではトナーの試作による確認やまたその後のプロセス評価での転写性、定着性との両立が困難である。これらの方策を単独、または組み合わせて実施してもそれでも十分な効果が得られていない。
【０００５】
また、特開２０００−５６６５９号公報によれば、感光体表層の材料特性とクリーニングブレードの動的粘弾性特性を指定することで画像流れとクリーニング不良の発生とを防止している。しかし、感光体表面を削る方法としてクリーニングブレードの微少な振動によって行っているため、感光体が振動することでレーザ光による露光時に静電潜像の乱れが生じたり、現像時や転写時等にトナー像の乱れが生じ画像不良が発生することがある。
【０００６】
本発明はこれらの問題点を解決するためのものであり、感光体上に付着した異物を積極的に、かつ定期的に除去することで白スジ、画像ボケ等の異物付着による異常画像の発生を防ぐことができ、かつ感光体もしくは感光体を含むユニットの寿命を向上することができる画像形成装置を提供することを目的とする。
【０００７】
【課題を解決するための手段】
前記問題点を解決するために、本発明の画像形成装置は、表面にトナー像を担持する像担持体と、転写器によるトナー像の転写終了後に像担持体上の転写残トナーを除去するために弾性を有するクリーニング部材とを有し、更に像担持体の外周面に付着した異物を取り除く板部材と、板部材を支持し、像担持体に対して板部材を接離するように作動させる支持部材とを有する。よって、像担持体へ振動等の影響を与えずに異物付着による異常画像の発生を防ぐことができ、像担持体もしくはそれを含むユニットの寿命を向上することができる。
【０００８】
また、板部材は、像担持体の移動方向に対してクリーニング部材よりも上流に配置することにより、板部材で削り落とされる像担持体に付着した異物の粉末が板部材をすり抜けてもクリーニング部材で回収するようにしているので、異物付着による異常画像の発生を防ぐことができ、像担持体もしくはそれを含むユニットの寿命を向上することができる。
【０００９】
更に、板部材は、先端部に鋭利な刃先を有し、この刃先が像担持体の外周面に接触するように支持部材を配置することにより、ほぼ均一に少量ずつ像担持体に付着する異物を取り除き、像担持体にスジ、傷等を与えないようにしているので、異物付着による異常画像の発生を防ぐことができ、像担持体もしくはそれを含むユニットの寿命を向上することができる。
【００１０】
また、板部材に発熱部材を備えていることにより、支持部材の作動開始に合わせた給電を発熱部材に行うことで板部材を熱し、像担持体に付着する異物を熱作用により効果的に取り除くようにしているので、異物付着による異常画像の発生を防ぐことができ、像担持体もしくはそれを含むユニットの寿命を向上することができる。
【００１１】
更に、像担持体の移動方向に対して板部材よりも上流側から板部材の表面に当接するように、板部材に付着した異物を除去するための除去部材を設けることにより、常に板部材の表面が清潔な状態であることで像担持体の外周面に付着した異物を効率的に取り除けるようにしているので、異物付着による異常画像の発生を防ぐことができ、像担持体もしくはそれを含むユニットの寿命を向上することができる。
【００１２】
また、支持部材は任意時に作動することで、例えば作像中以外に行うようにして像担持体へ振動等の影響を与えずに異物付着による異常画像の発生を防ぐことができる。
【００１３】
【発明の実施の形態】
本発明の画像形成装置は、表面にトナー像を担持する像担持体と、転写器によるトナー像の転写終了後に像担持体上の転写残トナーを除去するために弾性を有するクリーニング部材とを有し、更に像担持体の外周面に付着した異物を取り除く板部材と、板部材を支持し、像担持体に対して板部材を接離するように作動させる支持部材とを有する。
【００１４】
【実施例】
図１は本発明の一実施例に係る画像形成装置の概略構成を示す図である。図２は図１の部分拡大図である。同図において、感光体ドラム１の周囲には、帯電部材６、露光装置４、現像装置５、転写部材２、クリーニング装置３が配置されている。また、感光体ドラム１の表面に付着する異物を取り除くために板部材８と、板部材８を支える支持部材７が配置されている。図２に示すように、支持部材７は方向ａに自在に作動することができ、その作動のタイミングは工場出荷時やユーザ設置時等に自由に設定できる。例えば工場出荷時の初期設定値としては通紙枚数１０万枚毎等で設定可能であり、また信頼性試験の結果等を用いて能力を確認した後設定することも可能である。ここで、支持部材７の作動は通常の作像時（通紙時）以外に設定することで作像中の感光体ドラム１への振動等の影響を与えないようにしている。また、作動の手段としては、ソレノイドによる押圧、電磁クラッチとカムの組み合わせによる押圧で行うことができる。ここで、板部材８の上流には図２に示すように回収部材１２が設置されている。この回収部材１２は板部材８で削り落とされる感光体ドラム１に付着した異物の粉末を受け止めて蓄積するようになっている。また、板部材８と板部材８を支える支持部材７は感光体ドラム１の回転方向に対してクリーニング部材１０よりも上流に配置されている。この配置により板部材８で削り落とされる感光体ドラム１に付着した異物の粉末が仮に板部材８をすり抜けてもクリーニング部材１０で回収することができる。更に、図２のように感光体ドラム１の回転方向に対し板部材８の上流側から板部材８の表面に当接するように除去部材１３が設置されている。板部材８で削り落とされる感光体ドラム１に付着した異物の粉末が回収装置１２に落ちず板部材８の表面に残留する場合がある。そこで、板部材８に当接する除去部材１３で板部材８の表面に残る粉末状の異物を支持部材７の方向ａの作動と同時に掻き落とすことで効率的に残留異物の除去を行うことができる。ここで、除去部材１３は、当接による板部材８と感光体ドラム１の相対的な位置関係のずれを損なわない弾性係数を有しており、その材質としてはＰＥＴフィルム等を用いることができる。
【００１５】
次に、図３に示すように板部材８の感光体ドラム１に当接する一端部は鋭利な刃先を有する処理を施してある。この処理により、より効果的に傷を付けずに感光体ドラム上に付着する異物を取り除くことができる。
【００１６】
次に、図４に示すように板部材８には発熱部材１１が設けられている。発熱部材１１としてはニクロム線ヒータ等を用いる。この発熱部材１１が板部材８を熱し、像担持体に付着する異物を熱作用により効果的に取り除くことができる。なお、発熱部材１１への給電は支持部材７が作動する時に合わせて効果的に行う。
【００１７】
なお、本発明は上記実施例に限定されるものではなく、特許請求の範囲内の記載であれば多種の変形や置換可能であることは言うまでもない。
【００１８】
【発明の効果】
以上説明したように、本発明の画像形成装置は、表面にトナー像を担持する像担持体と、転写器によるトナー像の転写終了後に像担持体上の転写残トナーを除去するために弾性を有するクリーニング部材とを有し、更に像担持体の外周面に付着した異物を取り除く板部材と、板部材を支持し、像担持体に対して板部材を接離するように作動させる支持部材とを有する。よって、像担持体へ振動等の影響を与えずに異物付着による異常画像の発生を防ぐことができ、像担持体もしくはそれを含むユニットの寿命を向上することができる。
【００１９】
また、板部材は、像担持体の移動方向に対してクリーニング部材よりも上流に配置することにより、板部材で削り落とされる像担持体に付着した異物の粉末が板部材をすり抜けてもクリーニング部材で回収するようにしているので、異物付着による異常画像の発生を防ぐことができ、像担持体もしくはそれを含むユニットの寿命を向上することができる。
【００２０】
更に、板部材は、先端部に鋭利な刃先を有し、この刃先が像担持体の外周面に接触するように支持部材を配置することにより、ほぼ均一に少量ずつ像担持体に付着する異物を取り除き、像担持体にスジ、傷等を与えないようにしているので、異物付着による異常画像の発生を防ぐことができ、像担持体もしくはそれを含むユニットの寿命を向上することができる。
【００２１】
また、板部材に発熱部材を備えていることにより、支持部材の作動開始に合わせた給電を発熱部材に行うことで板部材を熱し、像担持体に付着する異物を熱作用により効果的に取り除くようにしているので、異物付着による異常画像の発生を防ぐことができ、像担持体もしくはそれを含むユニットの寿命を向上することができる。
【００２２】
更に、像担持体の移動方向に対して板部材よりも上流側から板部材の表面に当接するように、板部材に付着した異物を除去するための除去部材を設けることにより、常に板部材の表面が清潔な状態であることで像担持体の外周面に付着した異物を効率的に取り除けるようにしているので、異物付着による異常画像の発生を防ぐことができ、像担持体もしくはそれを含むユニットの寿命を向上することができる。
【００２３】
また、支持部材は任意時に作動することで、例えば作像中以外に行うようにして像担持体へ振動等の影響を与えずに異物付着による異常画像の発生を防ぐことができる。
【図面の簡単な説明】
【図１】本発明の一実施例に係る画像形成装置の概略構成を示す図である。
【図２】図１の部分拡大図である。
【図３】図２の板部材の構成を示す斜視図である。
【図４】図２の板部材に発明部材を取り付けた様子を示す断面図である。
【符号の説明】
１；感光体ドラム、２；転写部材、３；クリーニング装置、
４；露光装置、５；現像装置、６；帯電部材、７；支持部材、８；板部材、
９；記録紙、１０；クリーニング部材、１１；発熱部材、１２；回収部材、
１３；除去部材。
【図１】
2004085859.tif 000003
【図２】
2004085859.tif 000004
【図３】
2004085859.tif 000005
【図４】
2004085859.tif 000006